(57)【要約】【課題】従来現場での補修が困難であった機械装置の構成部品の円筒面について、構成部品を機械装置から取り外すことなく、本来の平滑な円筒面に補修することができるディスクグラインダの円筒面研削用支持装置を提供する。【解決手段】円筒面研削用支持装置３が、ディスクグラインダ２を固定支持するグラインダ支持部２５を有する装置本体１０と、装置本体１０の底部に設けられ、研削対象である外周円筒面Ｃ上に当接係合可能な位置決め係合部１１とを備えてなり、グラインダ支持部２５は、装置本体１０に傾動支軸１９を介して上下方向へ傾動可能に設けられ、装置本体１０が位置決め係合部１１を介して円筒面Ｃ上に位置決め載置された状態において、ディスクグラインダ２が、円筒面Ｃに対して研削待機位置Ｕと研削位置Ｄとの間で上下方向へ傾動可能とされている。【選択図】図４
2015208827.tif 000002
【特許請求の範囲】
【請求項１】
円柱体、円筒体等の外周円筒面をディスクグラインダにより研削する際に、このディスクグラインダを前記外周円筒面上に支持する装置であって、
前記ディスクグラインダを固定支持するグラインダ支持部を有する装置本体と、
この装置本体の底部に設けられ、前記外周円筒面上に当接係合可能な位置決め係合手段とを備えてなり、
前記グラインダ支持部は、前記装置本体に支軸を介して上下方向へ傾動可能に設けられ、
前記装置本体が前記位置決め係合手段を介して前記外周円筒面上に位置決め載置された状態において、前記グラインダ支持部に固定支持された前記ディスクグラインダが、前記外周円筒面に対して研削待機位置と研削位置との間で上下方向へ傾動可能とされている
ことを特徴とするディスクグラインダの円筒面研削用支持装置。
【請求項２】
前記位置決め係合手段は、前記装置本体の底部前後位置に設けられた一対の当接支持部を備え、
これら一対の当接支持部は、前記外周円筒面の異なる母線上にそれぞれ当接係合する構造とされている
ことを特徴とする請求項１に記載のディスクグラインダの円筒面研削用支持装置。
【請求項３】
前記一対の当接支持部は、後側当接支持部が前記装置本体の左右方向へ延びる直線棒状の支持バーの形態とされるとともに、前側当接支持部が前記装置本体の左右両側位置に設けられた一対の支持突起の形態とされ、
前記支持バーが前記外周円筒面の一つの母線上に線接触状態で当接係合するとともに、前記一対の支持突起が前記外周円筒面の他の一つの母線上に点接触状態で当接係合する配置構成とされている
ことを特徴とする請求項２に記載のディスクグラインダの円筒面研削用支持装置。
【請求項４】
前記一対の支持突起間の空間は、前記グラインダ支持部に固定支持された前記ディスクグラインダの刃部先端部位が臨む研削作業空間を形成している
ことを特徴とする請求項３に記載のディスクグラインダの円筒面研削用支持装置。
【請求項５】
前記グラインダ支持部に固定支持されたディスクグラインダの上下方向の傾斜角度位置を調整する傾斜角度調整手段を備える
ことを特徴とする請求項１に記載のディスクグラインダの円筒面研削用支持装置。
【請求項６】
前記傾斜角度調整手段は、少なくとも、前記グラインダ支持部の支軸に固定される傾動規制板と、前記装置本体に螺進退可能に支持される調整ボルトと、前記傾動規制板を前記調整ボルトに対して離隔方向へ弾発的付勢する弾発スプリングとを備えてなり、
前記傾動規制板が、前記弾発スプリングの弾発付勢力に抗して前記調整ボルト先端に当接係合することにより、前記グラインダ支持部に固定支持された前記ディスクグラインダの前記外周円筒面に対する研削位置が位置決め規制される
ことを特徴とする請求項５に記載のディスクグラインダの円筒面研削用支持装置。
【請求項７】
前記傾斜角度調整手段は、前記ディスクグラインダの上下方向の傾斜角度位置を概略調整する補助調整部を備える
ことを特徴とする請求項６に記載のディスクグラインダの円筒面研削用支持装置。
【請求項８】
前記補助調整部は、前記グラインダ支持部の支軸に同軸状にかつ自由回転可能に軸支される支持カラーと、この支持カラーを前記支軸に対して固定解除可能に一体固定するクランプレバー機構とを備えてなり、
前記支持カラーに前記傾動規制板が取付け固定される構造とされている
ことを特徴とする請求項７に記載のディスクグラインダの円筒面研削用支持装置。
【請求項９】
前記ディスクグラインダは前記グラインダ支持部に一体的に取付固定される構造とされている
ことを特徴とする請求項１に記載のディスクグラインダの円筒面研削用支持装置。
【請求項１０】
前記ディスクグラインダは前記グラインダ支持部に取外し可能に取付固定される構造とされている
ことを特徴とする請求項１に記載のディスクグラインダの円筒面研削用支持装置。
【請求項１１】
円柱体、円筒体等の外周円筒面を研削するディスクグラインダ装置であって、
ディスクグラインダと、このディスクグラインダを前記外周円筒面上に支持する支持手段とを備えてなり、
この支持手段は、請求項１から１０のいずれか一つに記載の円筒面研削用支持装置から構成されている
ことを特徴とするディスクグラインダ装置。
【発明の詳細な説明】
【技術分野】
【０００１】
この発明は、ディスクグラインダの円筒面研削用支持装置および円筒面研削用ディスクグラインダ装置に関し、さらに詳細には、印刷機のシリンダのような円柱体ないしは円筒体の外周円筒面を研削するディスクグラインダ技術に関する。
【背景技術】
【０００２】
例えば、現在のカラー印刷の主流となっているオフセット印刷は、版胴の表面に、水になじまず油性インクになじむ画線部（印刷される部分）と、水にないじみやすく油性インクのつかない非画線部とからなる版面を形成するとともに、この版面を水で濡らしてから油性インクを塗り、この版面上の上記画線部のインク画像（正画像）を、油性インクになじみやすいゴム製のブランケット胴の表面に一旦転写（反転画像）させてから、このブランケット胴の表面を印刷紙に押し付けて印刷（正画像）する印刷方法である。
【０００３】
上記版胴（Plate Cylinder）およびブランケット胴(Blanket Cylinder)は、圧胴（Inpression Cylinder）および紙渡し胴（Transfer Cylinder）と共にオフセット印刷機の印刷部の主要構成をなす胴装置であり、一般にシリンダと呼ばれている。
【０００４】
これらのシリンダは、印刷部における心臓部ともいえるもので、その外周円筒面（シリンダ円筒面）は高精度な平滑面に仕上げられており、特に金属製のシリンダにおいては、例えば、印刷機が壊れて、その部品であるボルト等の異物が上記シリンダ間に挟まるなどして、これにより上記シリンダ円筒面が陥没し損傷してしまった場合には、この損傷したシリンダの損傷箇所を補修する必要があり、この補修作業には通常、携帯用グラインダの一種であるディスクグラインダによる研削作業を伴う。
【０００５】
このディスクグラインダによる上記外周円筒面の研削作業は、作業者がディスクグラインダを両手で手持ち操作して行う手作業であることに加えて、研削対象が常時研削位置を立体的に移動させなければならない円筒面であることから、作業自体に熟練を要し、しかも、上記シリンダの配置構成が他の装置構成部品等との関係で狭い空間内にあることから、作業空間が非常に狭い。
【０００６】
したがって、ディスクグラインダを用いた現場での精度の高い補修には困難を伴い、これがため、実際には、対象となるシリンダを印刷機から取り外して、広い作業空間で上記損傷箇所に対する補修作業を行うというのが一般的である。
【０００７】
一方、上記シリンダの配置構成は複雑かつ大掛かりであるため、印刷機に対するシリンダの取外し取付け作業には多大な労力と時間を要し、結果として、上記のようなシリンダ円筒面の補修作業は、印刷機の稼働中特に繁忙期には行うことがで傷、印刷機の稼働停止時に行わなければならないという問題があった。
【０００８】
このような環境下、従来は、その次善策として、シリンダ円筒面の損傷箇所について肉盛り補修が現場で応急処置的に行われていた。この応急処置的な補修作業は、金属パテをシリンダ円筒面の陥没等した損傷箇所に肉盛りして、円筒面を回復させるというものであるが、このような補修ではシリンダ円筒面を平滑面に仕上げることが困難であり、しかも、金属パテでは耐摩耗性や耐溶剤性に難点があり、経時的に金属パテが剥がれてしまう危険もあり、あくまで応急処置的な補修として、改めてディスクグラインダを用いた本格的な補修作業を必要としていた。
【０００９】
以上の問題は、上述したオフセット印刷機の印刷部のシリンダに限らず、他の機械装置において同様な条件下にある構成部品（円柱体ないしは円筒体）の外周円筒面の補修作業にも共通するものであった。
【００１０】
なお、本出願人の知る限りにおいて、これら従来技術を開示した特許文献等は存在しない。
【先行技術文献】
【特許文献】
【００１１】
【特許文献１】なし
【発明の概要】
【発明が解決しようとする課題】
【００１２】
本発明は、かかる従来の問題点に鑑みてなされたものであって、その目的とするところは、従来現場での補修が困難であった機械装置の構成部品の外周円筒面について、構成部品を機械装置から取り外すことなく、ディスクグラインダ技術を用いて本来の平滑な円筒面に補修することができるディスクグラインダの円筒面研削用支持装置を提供することにある。
【００１３】
本発明のもう一つの目的とするところは、上記円筒面研削用支持装置を備えた円筒面研削用ディスクグラインダ装置を提供することにある。
【課題を解決するための手段】
【００１４】
上記目的を達成するため、本発明のディスクグラインダの円筒面研削用支持装置は、円柱体、円筒体等の外周円筒面をディスクグラインダにより研削する際に、このディスクグラインダを上記外周円筒面上に支持する装置であって、上記ディスクグラインダを固定支持するグラインダ支持部を有する装置本体と、この装置本体の底部に設けられ、上記外周円筒面上に当接係合可能な位置決め係合手段とを備えてなり、上記グラインダ支持部は、上記装置本体に支軸を介して上下方向へ傾動可能に設けられ、上記装置本体が上記位置決め係合手段を介して上記外周円筒面上に位置決め載置された状態において、上記グラインダ支持部に固定支持された上記ディスクグラインダが、上記外周円筒面に対して研削待機位置と研削位置との間で上下方向へ傾動可能とされていることを特徴とする。
【００１５】
好適な実施態様として、以下の構成が採用される。
（１）上記位置決め係合手段は、上記装置本体の底部前後位置に設けられた一対の当接支持部を備え、これら一対の当接支持部は、上記外周円筒面の異なる母線上にそれぞれ当接係合する構造とされている。
【００１６】
（２）上記一対の当接支持部は、後側当接支持部が上記装置本体の左右方向へ延びる直線棒状の支持バーの形態とされるとともに、前側当接支持部が上記装置本体の左右両側位置に設けられた一対の支持突起の形態とされ、上記支持バーが上記外周円筒面の一つの母線上に線接触状態で当接係合するとともに、上記一対の支持突起が上記外周円筒面の他の一つの母線上に点接触状態で当接係合する配置構成とされている。
【００１７】
（３）上記一対の支持突起間の空間は、上記グラインダ支持部に固定支持された上記ディスクグラインダの刃部先端部位が臨む研削作業空間を形成している。
【００１８】
（４）上記グラインダ支持部に固定支持されたディスクグラインダの上下方向の傾斜角度位置を調整する傾斜角度調整手段を備える。
【００１９】
（５）上記傾斜角度調整手段は、少なくとも、上記グラインダ支持部の支軸に固定される傾動規制板と、上記装置本体に螺進退可能に支持される調整ボルトと、上記傾動規制板を上記調整ボルトに対して離隔方向へ弾発的に付勢する弾発スプリングとを備えてなり、上記傾動規制板が、上記弾発スプリングの弾発付勢力に抗して上記調整ボルト先端に当接係合することにより、上記グラインダ支持部に固定支持された上記ディスクグラインダの上記外周円筒面に対する研削位置が位置決め規制される。
【００２０】
（６）上記傾斜角度調整手段は、上記ディスクグラインダの上下方向の傾斜角度位置を概略調整する補助調整部を備える。
【００２１】
（７）上記補助調整部は、上記グラインダ支持部の支軸に同軸状にかつ自由回転可能に軸支される支持カラーと、この支持カラーを上記支軸に対して固定解除可能に一体固定するクランプレバー機構とを備えてなり、上記支持カラーに上記傾動規制板が取付け固定される構造とされている。
【００２２】
（８）上記ディスクグラインダは上記グラインダ支持部に一体的に取付固定される構造とされている。
【００２３】
（９）上記ディスクグラインダは上記グラインダ支持部に取外し可能に取付固定される構造とされている。
【００２４】
本発明のディスクグラインダ装置は、円柱体、円筒体等の外周円筒面を研削するものであって、ディスクグラインダと、このディスクグラインダを上記外周円筒面上に支持する支持手段とを備えてなり、この支持手段は上記円筒面研削用支持装置から構成されていることを特徴とする。
【発明の効果】
【００２５】
本発明によれば、ディスクグラインダを固定支持するグラインダ支持部を有する装置本体と、この装置本体の底部に設けられ、研削対象である円柱体、円筒体等の外周円筒面上に当接係合可能な位置決め係合手段とを備えてなり、上記グラインダ支持部は、上記装置本体に支軸を介して上下方向へ傾動可能に設けられ、上記装置本体が上記位置決め係合手段を介して上記外周円筒面上に位置決め載置された状態において、上記グラインダ支持部に固定支持された上記ディスクグラインダが、上記外周円筒面に対して研削待機位置と研削位置との間で上下方向へ傾動可能とされているから、以下に列挙するような特有の効果が得られ、従来現場での補修が困難であった機械装置の構成部品の外周円筒面について、構成部品を機械装置から取り外すことなく、ディスクグラインダ技術を用いて本来の平滑な円筒面に補修することができるディスクグラインダの円筒面研削用支持装置を提供することができる。
【００２６】
（１）装置本体のグラインダ支持部に固定維持されたディスクグラインダは、上記装置本体が位置決め係合手段を介して、研削対象である円柱体、円筒体等の外周円筒面上に位置決め載置された状態において、上記外周円筒面に対して研削待機位置と研削位置との間で上下方向へ傾動可能とされることにより、研削対象である上記外周円筒面の適所に安定して支持された状態で、この外周円筒面に対する研削作業を行うことができる。
【００２７】
すなわち、このような作業環境を確保することにより、比較的狭い作業空間においてもディスクグラインダを安定して操作することができ、例えば印刷機のシリンダのように、その配置構成が他の装置構成部品等との関係で狭い空間内にあって、作業空間が非常に狭く、従来装置設置現場での補修が困難であった機械装置の構成部品の外周円筒面についても、構成部品を機械装置から取り外すことなく現場で補修することができる。
【００２８】
（２）上記のごとく、ディスクグラインダは、研削対象である外周円筒面の適所に安定して支持された状態で、この外周円筒面に対して研削待機位置と研削位置との間で上下方向へ傾動可能とされることにより、研削対象が常時研削位置を立体的に移動させなければならない外周円筒面であるにもかかわらず、砥石の研削面を研削対象面に容易かつ安定して迅速に当てることができ、作業者がディスクグラインダを両手で手持ち操作する従来の手作業に比較して、作業自体に熟練を要することなく、外周円筒面に対する研削作業を安定してかつ精度良く行うことができ、ディスクグラインダを用いた現場での精度の高い補修作業が容易かつ確実に実施可能である。
【００２９】
（３）上記（１）および（２）の効果が有効に発揮される結果として、装置本体に対する補修対象のシリンダの取外し取付け作業が不要となり、大幅な労力削減と時間短縮が可能となり、延いては補修作業コストの大幅低減化を図ることができる。
【００３０】
また、シリンダ円筒面の補修作業を、装置の稼働中においても装置の運転を一時停止するだけで行うことができ、装置稼働停止に伴う稼働率低下を有効に防止することができる。
【００３１】
（４）上記（１）および（２）の効果が有効に発揮される結果として、例えば、従来の印刷機の設置現場おいて応急処置的に行われていたシリンダ円筒面の損傷箇所についての肉盛り補修作業が不要となり、この点においても補修作業コストの大幅低減化を図ることができる。
【００３２】
（５）上記グラインダ支持部に固定支持されたディスクグラインダの上下方向の傾斜角度位置を調整する傾斜角度調整手段を備えることにより、上記ディスクグラインダの研削対象である外周円筒面に対する研削位置が正確に位置決め規制され、その結果、上記（２）の効果に加えて、さらに砥石による過度な研削等も熟練を要することなく有効に防止されて、砥石の研削対象面に対する適切な距離を常時安定して確保することができ、外周円筒面に対する研削作業がさらに安定してかつ精度良く行うことができる。
【００３３】
（６）上記傾斜角度調整手段が、上記ディスクグラインダの上下方向の傾斜角度位置を概略調整する補助調整部を備えることにより、この補助調整部による操作で上記傾斜角度位置を概略調整した後、傾斜角度調整手段の本来の調整により、最終段階の微調整を容易迅速にかつ正確に行うことができる。
【００３４】
換言すれば、上記傾斜角度調整手段の本来の調整作業の前段階作業として、上記補助調整部を操作することにより、上記傾斜角度を予備的に設定することで、傾斜角度調整手段の本来の調整による上記傾斜角度位置の最終設定調整が迅速かつ正確に行える。
【図面の簡単な説明】
【００３５】
【図１】本発明の実施形態１である円筒面研削用ディスクグラインダ装置を示す斜視図である。
【図２】同じく同ディスクグラインダ装置の使用状態を示す側面図である。
【図３】同じく同ディスクグラインダ装置の底面図である。
【図４】同じく同ディスクグラインダ装置の使用状態を図３のIV−IV線に沿って示す側面断面図である。
【図５】同じく同ディスクグラインダ装置における傾斜角度調整装置を示す拡大側面図である。
【図６】同傾斜角度調整装置を示し、図６（ａ）は背面図、図６（ｂ）は一部切開して示す図６（ａ）のＢ−Ｂに沿った断面図である。
【図７】同傾斜角度調整装置の補助調整部の内部構造を示す拡大断面図である。
【図８】同傾斜角度調整装置によるディスクグラインダの傾斜角度調整方法を示す側面図である。
【図９】同ディスクグラインダ装置の使用状態を示す斜視図である。
【図１０】図３（ａ）〜（ｄ）は同ディスクグラインダ装置による研削作業工程を説明するための斜視図である。
【図１１】本発明の実施形態２である円筒面研削用ディスクグラインダ装置を示す斜視図であって、図１１（ａ）はディスクグラインダを円筒面研削用支持装置に一体結合した状態を示し、図１１（ｂ）はディスクグラインダを円筒面研削用支持装置から取り外した状態を示す。
【発明を実施するための形態】
【００３６】
以下、本発明の実施形態を図面に基づいて詳細に説明する。なお、図面全体にわたって同一の符号は同一の構成部材または要素を示している。
【００３７】
実施形態１
本発明に係るディスクグラインダ装置が図１〜図１０に示されており、このディスクグラインダ装置１は、具体的には、オフセット印刷機の印刷部のシリンダ（版胴（Plate Cylinder）、ブランケット胴(Blanket Cylinder)、圧胴（Inpression Cylinder）および紙渡し胴（Transfer Cylinder）など）のような円柱体ないしは円筒体の外周円筒面Ｃを研削するものである。
【００３８】
ディスクグラインダ装置１は、ディスクグラインダ２と、このディスクグラインダ２を上記外周円筒面Ｃ上に支持する支持手段としての円筒面研削用支持装置３とを備えてなる。
【００３９】
ディスクグラインダ２は、従来公知の基本構造を備えた手持ち操作可能な携帯用グラインダで、手指Ｈ（図９および図１０（ｃ）参照）にて把持可能なグラインダ本体５の先端部に、回転スピンドル６が下向きに回転駆動可能に軸支され、この回転スピンドル６に、先端工具としてのオフセット研削砥石７が取外し交換可能に取り付けられてなる。８はオフセット研削砥石７の後半部外周を被覆保護するホイールカバーを示している。
【００４０】
上記グラインダ本体５は、手指Ｈにて把持可能な略円筒形状の外観形態とされ、具体的には図示しないが、その内部には、上記回転スピンドル６を回転駆動する駆動源としての電動モータが内蔵されるとともに、この電動モータの回転軸に上記回転スピンドル６が歯車機構を介して駆動連結され、その外側後端部には、上記電動モータの駆動スイッチが設けられている。
【００４１】
円筒面研削用支持装置３は、装置本体１０、位置決め係合部（位置決め係合手段）１１および傾斜角度調整部（傾斜角度調整手段）１２を主要部として備えてなる。
【００４２】
装置本体１０は、中央部位に上記ディスクグラインダ２が配置保持される平面視矩形状の枠体の形態とされている。この装置本体１０の具体的構造は、左右両側の側部フレーム１５、１６が３本の連結バー１７、１８および１９により連結されて枠組み形成されてなる。
【００４３】
上記側部フレーム１５、１６は、図２に示すように、略Ｌ字形の側面形状を有する厚板金属の形態とされ、これら両側部フレーム１５、１６の前後両端部が上記２本の連結バー１７、１８により連結されるとともに、略Ｌ字形の角部が残りの連結バー１９により連結されている。
【００４４】
上記２本の連結バー１７、１８は、いずれも円柱状の金属棒の形態とされ、その両端が上記両側部フレーム１５、１６の内側面に当接されるとともに、両側部フレーム１５、１６の外側から締付ボルト２０、２０により締付け固定されている。これら両連結バー１７、１８のうち後側の連結バー１８は、後述する位置決め係合部１１の一部を構成している。
【００４５】
また、上記連結バー１９は、両側部フレーム１５、１６の連結組立手段としての機能に加えて、後述するグラインダ支持部２５の傾動支軸としても機能するもので、この目的のため、上記両側部フレーム１５、１６に軸受２１、２１を介して回転可能に軸支されている。
【００４６】
上記装置本体１０は、上記のごとく、ディスクグラインダ２を固定支持するグラインダ支持部２５を備える。このグラインダ支持部２５は、上記装置本体１０に上記傾動支軸（支軸）１９を介して上下方向へ傾動可能に設けられている。
【００４７】
具体的には、上記グラインダ支持部２５は、図１、図３および図４に示すように、ディスクグラインダ２を固定支持する支持部本体２６が、取付けブラケット２７を介して、上記傾動支軸（支軸）１９の長さ方向中央位置つまり装置本体１０の幅方向中央位置に取付ボルト２８、２８により取付け固定されている（図４）。これにより、グラインダ支持部２５は、装置本体１０に傾動支軸１９を介して上下方向へ傾動可能に設けられている。
【００４８】
ディスクグラインダ２は上記グラインダ支持部２５の支持部本体２６上に位置決め載置されるとともに、取付ボルト２９、２９により一体的に取付固定される構造とされている（図３、図４）。
【００４９】
位置決め係合部（位置決め係合手段）１１は、装置本体１０延いてはこの装置本体１０に支持されたディスクグラインダ２を研削対象となる外周円筒面Ｃ上に安定的に位置決め支持するためのものである。この位置決め係合部１１は上記装置本体１０の底部に設けられており、上記外周円筒面Ｃ上に当接係合可能な構造を備えてなる。
【００５０】
上記位置決め係合部１１は、具体的には、上記装置本体１０の底部前後位置に設けられた一対の当接支持部３０、３１を備えてなり、これら一対の当接支持部３０、３１は、上記外周円筒面Ｃの異なる母線上にそれぞれ当接係合する構造とされている。
【００５１】
後側の当接支持部（後側当接支持部）３０は、上記装置本体１０の左右方向へ延びる直線棒状の支持バーの形態とされ、図示の実施形態においては、前述した連結バー１８がこの後ろ側の当接支持部３０としての機能を兼備しており、この目的のため、連結バー１８の円筒表面が外周円筒面Ｃを傷付けない材料、例えば硬質ゴム製の皮膜層により形成されている。
【００５２】
前側の当接支持部（前側当接支持部）３１は、上記装置本体１０の左右両側位置に設けられた一対の支持突起３１a、３１ｂの形態とされ、図示の実施形態においては、これら一対の支持突起３１a、２３１ｂは、装置本体１０の左右両側の側部フレーム１５、１６の底面にそれぞれ設けられ、その下端面つまり当接係合面を球面に形成された短円柱状の支持部材３５、３５が、上記側部フレーム１５、１６の底面に対して下向きに螺合固定されている。
【００５３】
上記支持バー３０の軸線Ｘ30と、上記一対の支持突起３１a、３１ｂの当接係合面の中心を通る直線Ｘ31とが平行になるように設定され、これにより、上記支持バー１８が上記外周円筒面Ｃの一つの母線上に線接触状態で当接係合するとともに、上記一対の支持突起３１a、３１ｂが上記外周円筒面Ｃの他の一つの母線上に点接触状態で当接係合する配置構成とされている。
【００５４】
また、上記一対の支持突起３１a、３１ｂ間の空間３２は、上記グラインダ支持部２５に固定支持されたディスクグラインダ２の刃部先端部位が臨む研削作業空間を形成している。
【００５５】
そして、上記装置本体１０が上記位置決め係合部１１（３０、３１）を介して上記外周円筒面Ｃ上に位置決め載置された状態において、つまり、上記のごとく支持バー１８が外周円筒面Ｃの一つの母線上に線接触状態で当接係合するとともに、一対の支持突起３１a、３１ｂが外周円筒面Ｃの他の一つの母線上に点接触状態で当接係合した状態において、上記グラインダ支持部２５に固定支持された上記ディスクグラインダ２は、上記外周円筒面Ｃに対して研削待機位置Ｕと研削位置Ｄとの間で上下方向へ傾動可能とされている。
【００５６】
なお、上記研削待機位置Ｕは、後述するように、固定的ないしは普遍的なものではなく、上記研削位置Ｄに対する高さ位置として便宜上定められるものである。つまり、上記研削位置Ｄは、ディスクグラインダ２が上記外周円筒面Ｃを研削できる予め設定された高さ位置であるのに対して、上記研削待機位置Ｕは、ディスクグラインダ２のオフセット研削砥石７の先端研削部７ａ（後述）が上記外周円筒面Ｃに接触せず研削できない典型的な高さ位置を示している。したがって、ここにいう「ディスクグラインダ２が研削待機位置Ｕと研削位置Ｄとの間で上下方向へ傾動可能」とは、ディスクグラインダ２が上記外周円筒面Ｃから離隔して研削できない任意の高さ位置である研削待機位置Ｕ（図示の実施形態においては、実際には、図示される研削待機位置Ｕよりもさらに上方への傾動が可能ということになる。）と、ディスクグラインダ２が上記外周円筒面Ｃを研削できる予め設定された固定的な高さ位置である研削位置Ｄとの間で上下方向へ傾動可能であることを意味する。
【００５７】
傾斜角度調整部（傾斜角度調整手段）１２は、上記グラインダ支持部２５に固定支持されたディスクグラインダ２の上下方向の傾斜角度位置を調整するもので、具体的には、上記外周円筒面Ｃに対する研削待機位置Ｕと研削位置Ｄを規定する（図２および図４）。
【００５８】
上記傾斜角度調整部１２は、少なくとも、図２、図３、図５および図６に示すように、上記グラインダ支持部２５の傾動支軸１９に取付け固定される傾動規制板３５と、上記装置本体１０に螺進退可能に支持される調整ボルト３６と、上記傾動規制板３５を上記調整ボルト３６の先端３６aに対して離隔方向へ弾発的に付勢する弾発スプリング３７とを備えてなる。
【００５９】
上記調整ボルト３６の基端には、この調整ボルト３６を回転操作する調整ダイヤル３８が一体的に設けられるとともに、装置本体１０の側部フレーム１６には、この調整ダイヤル３８の回転位置を規制する規制部３９が設けられている。
【００６０】
具体的には、図５および図６（ａ）に示すように、上記調整ダイヤル３８の外周部に外周歯車３８ａが形成されるとともに、上記規制部３９は、弾性金属板からなる規制バネ部材の形態とされ、この規制バネ部材３９の先端部位に先端係合部３９ａが形成されている。そして、この規制バネ部材３９の先端係合部３９ａが上記調整ダイヤル３８の外周歯車３８ａの歯溝に弾発的に係合することにより、調整ダイヤル３８の回転動作が弾発的に係合停止される。なお、調整ダイヤル３８の外周歯車３８ａは、回転操作用の滑止めグリップとしても機能する。
【００６１】
そして、上記傾動規制板３５が、上記弾発スプリング３７の弾発付勢力に抗して上記調整ボルト３６の先端３６ａに当接係合することにより、上記グラインダ支持部２５に固定支持された上記ディスクグラインダ２の上記外周円筒面Ｃに対する研削位置Ｄが位置決め規制される。この場合の研削位置Ｄの設定調整は、調整ダイヤル３８を規制バネ部材３９による弾発係合力に抗して回転操作して、調整ボルト３６を上記装置本体１０に対して螺進退させることにより行う。
【００６２】
一方、上記傾動規制板３５が、上記弾発スプリング３７の弾発付勢力により調整ボルト３６の先端３６ａから離隔された状態が上記ディスクグラインダ２の上記外周円筒面Ｃに対する研削待機位置Ｕとなる。
【００６３】
上記傾斜角度調整部１２は、好適には、図示の実施形態のように、さらに上記ディスクグラインダ２の上下方向の傾斜角度位置（研削待機位置Ｕ、研削位置Ｄ）を概略調整する補助調整部４０を備え、上記傾斜角度位置の調整が迅速かつ正確に行える構成とされている。
【００６４】
すなわち、上記調整ダイヤル３８の回転操作によるディスクグラインダ２のオフセット研削砥石７の先端研削部７ａの上下方向の高さ位置変化量は、例えば、調整ダイヤル３８の１目盛（外周歯車３８ａの１ピッチ）当り０．０１〜０．０４ｍｍ（図示の実施形態においては０．０２ｍｍ）と非常に小さい値に設定されているため、調整ダイヤル３８の回転操作のみで上記ディスクグラインダ２の上下方向の傾斜角度位置を調整しようとすると、調整ダイヤル３８を不必要に多く回転操作しなければならず、迅速な調整作業が行えない。
【００６５】
換言すれば、ディスクグラインダ２による外周円筒面Ｃの研削作業には微小な仕上り寸法が要求されることから、調整ダイヤル３８による上記傾斜角度位置の可能調整量も微小であることが要求される。したがって、上記傾斜角度調整部１２の基本構成が上記調整ダイヤル３８による調整構造のみでは、調整ダイヤル３８の回転操作量が不必要に多くなり、ディスクグラインダ２の上下方向の傾斜角度位置の調整作業に多くの時間と労力を要し迅速に行えない。
【００６６】
これに対して、本実施形態のように、傾斜角度調整部１２が調整ダイヤル３８による基本調整構造に加えて、補助調整部４０を備えることにより、まず、この補助調整部４０のみの操作で上記傾斜角度位置を概略調整した後、調整ダイヤル３８の回転操作により最終段階の微調整を容易迅速にかつ正確に行うことができる。
【００６７】
図示の実施形態の傾斜角度調整部１２の具体的構成が図５〜図７に示されており、上記補助調整部４０は、上記グラインダ支持部２５の傾動支軸１９上に設けられる支持カラー４１と、この支持カラー４１を上記傾動支軸１９に対して固定解除可能に一体固定するクランプレバー機構４２とを備えてなり、上記支持カラー４１に上記傾動規制板３５が取付け固定される構造とされている。
【００６８】
上記支持カラー４１は円筒形状のもので、図６（a）、（ｂ）に示すように、上記傾動支軸１９の一端部において、この傾動支軸１９上に同軸状にかつ自由回転可能に軸支されている。支持カラー４１の外周面部位には、上記傾動規制板３５の上端部が取付ボルト４３、４３により取付け固定されて、傾動規制板３５が支持カラー４１と一体回転するように構成されている。
【００６９】
クランプレバー機構４２は、図７に示すように、くさび部材４３、クランプボルト４４およびクランプレバー４５を主要部として備えてなる。
【００７０】
くさび部材４３は、支持カラー４１に設けられた摺動孔４６内に上下方向へ摺動可能に設けられている。上記摺動孔４６は、図示のごとく、その上端が上記支持カラー４１の外周面４１ａに開口するとともに、その下端側部が上記支持カラー４１の内周面４１ｂに開口して傾動支軸１９の外周面１９ａに臨んでいる。これに対応して、上記くさび部材４３の下部には、上記傾動支軸１９の外周面１９ａに対応した円筒面からなるくさび面４３ａが設けられ、くさび部材４３が下降して、上記くさび面４３ａが上記外周面１９ａに圧接係合することで、支持カラー４１と傾動支軸１９が一体的に係合固定されるようにされている。
【００７１】
クランプボルト４４は、上記くさび部材４３の挿通孔４３ｂを挿通して、支持カラー４１の雌ねじ部４７に螺進退可能に螺合されている。この雌ねじ部４７は、上記摺動孔４６と同軸上に設けられ、その上端が上記摺動孔４６の底部に開口して臨むとともに、その下端が支持カラー４１の外周面４１ａに開口して臨んでいる。
【００７２】
上記クランプボルト４４の係止肩部４４ａは、上記くさび部材４３の上端面４３ｃに軸方向に当接係合する構成とされ、これによりクランプボルト４４を支持カラー４１に対して螺進操作することにより、クサビ部材４３を下方へ移動させて、くさび部材４３をくさび動作させる（上記くさび面４３ａを上記外周面１９ａに圧接係合させる）。
【００７３】
クランプレバー４５は、上記クランプボルト４４を回転操作するためのもので、図１および図７（ｂ）のクランプ位置Ａと図１および図７（ａ）のクランプ解除位置Ｂとの間で回動操作される。
【００７４】
具体的には図示しないが、本実施形態においては、内蔵された弾発スプリングを介して、クランプレバー４５がクランプボルト４４に対してスプライン結合されており、これにより、クランプレバー４５とクランプボルト４４は常態においては弾発スプリングの弾発付勢力により上記スプラン結合状態が保たれて、両者４４、４５は回転方向に一体的に結合される一方、クランプレバー４５を上記弾発スプリングの弾発付勢力に抗して上方へ引っ張ることにより、クランプレバー４５はクランプボルト４４に対して相対的に回転可能になる。
【００７５】
これにより、クランプレバー４５のクランプボルト４４に対するスプライン結合とその解除を繰り返すことにより、クランプレバー４５による小刻みなクランプボルト４４の回転操作が可能になる。このようなクランプレバー機構４２の構成は、例えば、クランプレバー４５の回転操作範囲内に、クランプレバー４５の回動操作を妨げる障害物等が存在する場合などに特に有効に作用する。
【００７６】
次に、この傾斜角度調整部１２による上記ディスクグラインダ２の上下方向の傾斜角度位置の初期設定（外周円筒面Ｃの研削作業の事前準備）方法について説明する（図８参照）。
【００７７】
（Ｉ）  初期設定作業の事前準備として、クランプレバー機構４２を操作して、傾斜支軸１９に対する支持カラー４１の固定状態を解除するとともに、調整ダイヤル３８をその回転操作基準位置近傍、つまり、調整ダイヤル３８の左右回転操作方向の中心位置付近に回転操作しておく（例えば、調整ダイヤル３８の回転操作可能範囲（調整ボルト３６の最大移動範囲（量））が、調整ダイヤル３８の２回転分であれば、調整ダイヤル３８の左右回転端から１回転位置が中心となる。）。
【００７８】
(II)  このように事前準備されたディスクグラインダ装置１を、研削対象となる外周円筒面Ｃの上に位置決め載置する。
【００７９】
具体的には、ディスクグラインダ装置１を上記外周円筒面Ｃ上にガタツキがないように置くことにより、支持装置３の位置決め係合部１１の支持バー１８が外周円筒面Ｃの一つの母線上に線接触状態で当接係合するとともに、一対の支持突起３１a、３１ｂが外周円筒面Ｃの他の一つの母線上に点接触状態で当接係合して位置決めされ（広い意味での３点支持状態による位置決め作用効果）、これにより、支持装置３のグラインダ支持部２５に固定支持されたディスクグラインダ２は、上記外周円筒面Ｃ上に安定的に位置決め載置（位置決め支持）される。
【００８０】
このディスクグラインダ装置１が上記外周円筒面Ｃ上に位置決め載置された状態において、ディスクグラインダ２は上記外周円筒面Ｃに対して上下方向へ傾動可能となる。
【００８１】
(III)  この位置決め載置の状態で、ディスクグラインダ２を手指Ｈにて把持して下方向へ傾動させ（傾動支軸１９が傾動回転）、ディスクグラインダ２の歯先つまりオフセット研削砥石７の先端研削部７ａが研削しようとする外周円筒面Ｃに軽く当たる高さ位置を見つける（図８（ａ））。
【００８２】
このディスクグラインダ２の歯先７ａが外周円筒面Ｃに軽く当たる図８（ａ）の状態において、傾斜角度調整部１２における傾動規制板３５と調整ボルト３６の先端３６aは通常離隔した状態にある（図８（ａ）の一点鎖線円内参照）。
【００８３】
（IV）  ディスクグラインダ２の歯先７ａが外周円筒面Ｃに軽く当たった状態を維持しながら、傾動規制板３５を支持カラー４１と共に調整ボルト３６の方向へ傾動回転させて、この調整ボルト３６の先端３６aに当接係合させ（図８（ｂ）の一点鎖線円内参照）、この当接係合状態において、クランプレバー機構４２の操作により、支持カラー４１を傾斜支軸１９に対して固定状態とする（図８（ｂ）の二点鎖線参照）。これにより、傾動規制板３５は支持カラー４１および傾動支軸１９を介してディスクグラインダ２と一体固定化して、上記ディスクグラインダ２の上記外周円筒面Ｃに対する研削位置Ｄが予備的に設定される。
【００８４】
（Ｖ）  このディスクグラインダ２の研削位置Ｕが予備的に設定された状態において、調整ダイヤル３８を右方向へわずかに回転操作して、ディスクグラインダ２の歯先７ａが外周円筒面Ｃよりわずかに浮いた状態となるのを確認する（図示の実施形態の場合、調整ダイヤル３８を例えば３目盛ほど回転操作することにより、ディスクグラインダ２の歯先７ａは上記外周円筒面Ｃより約０．０６ｍｍほど浮いた状態となる。）。
【００８５】
以上の操作により、ディスクグラインダ２の歯先７ａは外周円筒面Ｃのわずか上方近傍位置（図示の実施形態においては、外周円筒面Ｃより約０．０６ｍｍほど浮いた状態位置）にあり、かつ、傾動規制板３５が調整ボルト３６の先端３６aに当接係合しているため、ディスクグラインダ２を手指Ｈにより下方へ傾斜させようとしても、これ以上ディスクグラインダ２が下方へ傾動して歯先７ａが下降することはない。
【００８６】
一方、上記傾斜規制板３５は、弾発スプリング３７により常時上記調整ボルト３６の先端３６ａに対して離隔方向へ弾発的に付勢されているため、ディスクグラインダ２から手指Ｈを放すことにより、ディスクグラインダ２は研削位置Ｄの上方近傍位置から研削待機位置Ｕ（図２および図４参照）まで自動的に上昇復帰する。
【００８７】
なお、この研削待機位置Ｕは、前述したように、上記研削位置Ｄに対する高さ位置として便宜上定められたもので、固定的ないしは普遍的なものではない。図示の実施形態においては、上記のとおり、弾発スプリング３７の弾発力によりディスクグラインダ２が上昇復帰する最大高さ位置を研削待機位置Ｕとしている。したがって、図示の実施形態においては、ディスクグラインダ２は、実際には、弾発スプリング３７の弾発力により規定される図示の研削待機位置Ｕよりも、手動によりさらに上方の任意の研削待機位置への傾動が可能である。
【００８８】
また、上記歯先７ａの高さ位置つまり研削位置Ｄは、調整ダイヤル３８が左右回転方向にそれぞれ１回転分の調整範囲（調整シロ）を有する状態にあることから、この調整可能範囲内でディスクグラインダ２の上下方向の傾斜角度位置（歯先７ａの高さ位置）を適宜設定調整し得る初期設定状態にセットされたことになる。
【００８９】
このようにして、ディスクグラインダ装置１におけるディスクグラインダ２の上下方向の傾斜角度位置の初期設定が完了したら、この初期設定状態から、調整ダイヤル３８を回転操作して上記傾斜角度位置を適宜調整しながら、少しずつ外周円筒面Ｃを研削していく。
【００９０】
しかして、以上のように構成されたディスクグラインダ装置１を用いて、例えば、図１０（ａ）に示すように、オフセット印刷機の印刷部のシリンダの外周円筒面Ｃが一部陥没したり、傷が付くなどして損傷してしまった場合に、この損傷箇所ＤＰを補修する作業工程を以下に説明する。
【００９１】
（ｉ）シリンダの外周円筒面Ｃ上の損傷箇所ＤＰ（図１０（ａ）参照）の傷の深さ寸法を測定した後、この損傷箇所ＤＰにアーク溶接等による肉盛溶接を施して、外周円筒面Ｃの損傷を受けていない有効面よりも高く肉盛１００する（図１０（ｂ）参照）。
【００９２】
（ii）この損傷箇所ＤＰの肉盛１００を上記ディスクグラインダ装置１を使用して、外周円筒面Ｃより少し低くなる程度（例えば図示の実施形態においては、−０．１ｍｍ以内の寸法）まで研削する（図１０（ｃ）参照）。
【００９３】
この研削作業は、上述したように、ディスクグラインダ装置１におけるディスクグラインダ２の上下方向の傾斜角度位置の初期設定をした後、この初期設定状態から、調整ダイヤル３８を回転操作して上記傾斜角度位置を適宜調整しながら、少しずつ外周円筒面Ｃの肉盛を研削していく。
【００９４】
（iii）上記研削部分を適宜クリーニング処理した後、メッキ１０１を塗装する（図１０（ｄ）参照）。
【００９５】
この塗装方法は、目的に応じて適宜選択して実行され、例えば、銅メッキを塗装した後（この段階で、研削部分はまだ外周円筒面Ｃよりも少し低い状態にある。）、仕上段階として、ディスクグラインダ２により研削補修された上記損傷箇所ＤＰの表面の高さを外周円筒面Ｃと高さと合わせる（連続する面一の円筒面にする）とともに、外周円筒面Ｃのコーティングの作用を兼ねてニッケルメッキ（あるいはクロムメッキ）を塗装する。
【００９６】
以上の補修作業の結果、損傷箇所ＤＰは他の外周円筒面Ｃと区別がつかない状態まで修復される。
【００９７】
以上詳述したように、本実施形態によれば、ディスクグラインダ２の円筒面研削用支持装置３は、ディスクグラインダ２を固定支持するグラインダ支持部２５を有する装置本体１０と、この装置本体１０の底部に設けられ、研削対象である円柱体、円筒体等の外周円筒面Ｃ上に当接係合可能な位置決め係合部１１（３０、３１）とを備えてなり、上記グラインダ支持部２５は、上記装置本体１０に傾動支軸１９を介して上下方向へ傾動可能に設けられ、上記装置本体１０が上記位置決め係合部１１（３０、３１）を介して上記外周円筒面Ｃ上に位置決め載置された状態において、上記ディスクグラインダ２が、上記研削対象である外周円筒面Ｃに対して研削待機位置Ｕと研削位置Ｄとの間で上下方向へ傾動可能とされているから、以下に列挙するような特有の効果が得られ、従来現場での補修が困難であった機械装置の構成部品の外周円筒面Ｃについて、構成部品を機械装置から取り外すことなく、ディスクグラインダ技術を用いて本来の平滑な外周円筒面Ｃに補修することができるディスクグラインダ２の円筒面研削用支持装置３を提供することができる。
【００９８】
（１）装置本体１０のグラインダ支持部２５に固定維持されたディスクグラインダ２は、上記装置本体１０が位置決め係合部１１（３０、３１）を介して、研削対象である上記外周円筒面Ｃ上に位置決め載置された状態において、上記外周円筒面Ｃに対して研削待機位置Ｕと研削位置Ｄとの間で上下方向へ傾動可能とされることにより、研削対象である上記外周円筒面Ｃの適所に安定して支持された状態で、この外周円筒面Ｃに対する研削作業を行うことができる。
【００９９】
すなわち、このような作業環境を確保することにより、比較的狭い作業空間においてもディスクグラインダ２を安定して操作することができ、研削対象が上述した印刷機のシリンダのように、その配置構成が他の装置構成部品等との関係で狭い空間内にあって、作業空間が非常に狭く、従来装置設置現場での補修が困難であった機械装置の構成部品の外周円筒面Ｃについても、構成部品を機械装置から取り外すことなく現場で補修することができる。
【０１００】
（２）上記のごとく、ディスクグラインダは、研削対象である外周円筒面Ｃの適所に安定して支持された状態で、この外周円筒面Ｃに対して研削待機位置Ｕと研削位置Ｄとの間で上下方向へ傾動可能とされることにより、研削対象が常時研削位置を立体的に移動させなければならない外周円筒面Ｃであるにもかかわらず、オフセット研削砥石７の研削面より具体的には先端研削部７ａを研削対象面Ｃに容易かつ安定して迅速に当てることができ、作業者がディスクグラインダ２を両手で手持ち操作する従来の手作業に比較して、作業自体に熟練を要することなく、外周円筒面Ｃに対する研削作業を安定してかつ精度良く行うことができ、ディスクグラインダ２を用いた現場での精度の高い補修作業が容易かつ確実に実施可能である。
【０１０１】
（３）上記（１）および（２）の効果が有効に発揮される結果として、装置本体１０に対する補修対象のシリンダの取外し取付け作業が不要となり、大幅な労力削減と時間短縮が可能となり、延いては補修作業コストの大幅低減化を図ることができる。
【０１０２】
また、シリンダ円筒面Ｃの補修作業を、装置の稼働中においても装置の運転を一時停止するだけで行うことができ、装置稼働停止に伴う稼働率低下を有効に防止することができる。
【０１０３】
（４）上記（１）および（２）の効果が有効に発揮される結果として、例えば、従来の印刷機の設置現場おいて応急処置的に行われていたシリンダ円筒面Ｃの損傷箇所ＤＰについての肉盛り補修作業が不要となり、この点においても補修作業コストの大幅低減化を図ることができる。
【０１０４】
（５）上記グラインダ支持部２５に固定支持されたディスクグラインダ２の上下方向の傾斜角度位置を調整する傾斜角度調整部１２を備えることにより、上記ディスクグラインダ２の研削対象である外周円筒面Ｃに対する研削位置Ｕが正確に位置決め規制される。
【０１０５】
その結果、上記（２）の効果に加えて、さらにオフセット研削砥石７による過度な研削等も熟練を要することなく有効に防止されて、オフセット研削砥石７の研削対象面に対する適切な距離を常時安定して確保することができ、外周円筒面Ｃに対する研削作業がさらに安定してかつ精度良く行うことができる。
【０１０６】
（６）上記傾斜角度調整部１２が、ディスクグラインダ２の上下方向の傾斜角度位置を概略調整する補助調整部４０を備えることにより、まず、この補助調整部４０のみの操作で上記傾斜角度位置を概略調整した後、傾斜角度調整部１２の調整ダイヤル３８の回転操作による本来の調整により、最終段階の微調整を容易迅速にかつ正確に行うことができる。
【０１０７】
換言すれば、上記傾斜角度調整部１２の本来の調整作業の前段階作業として、上記補助調整部４０を操作することにより、上記傾斜角度を予備的に設定することで、傾斜角度調整部１２の本来の調整による上記傾斜角度位置の最終設定調整が迅速かつ正確に行える。
【０１０８】
実施形態２
本実施形態は図１１に示されており、ディスクグラインダ２を支持する支持装置３の構造が若干改変されたものである。
【０１０９】
すなわち、実施形態１のディスクグラインダ装置１においては、ディスクグラインダ２が支持装置３のグラインダ支持部２５に一体的に取付固定される構造とされているが、本実施形態においては、ディスクグラインダ２が上記グラインダ支持部２５に取外し可能に取付固定される構造とされている。
【０１１０】
具体的には、図１１（ｂ）に示すように、グラインダ支持部２５の支持部本体２６の左右両側縁に、位置決め保持部２６ａ、２６ｂが起立状に折曲形成されて、ディスクグラインダ２のグラインダ本体５左右側部を係合支持可能な構造とされるとともに、これら位置決め保持部２６a、２６ｂの外側面に締付固定ベルト５０が取り付けられている。
【０１１１】
この締付固定ベルト５０は左右一対のベルト片５０ａ、５０ｂからなり、これら両ベルト片５０ａ、５０ｂは、締付け固定手段５１により締結長さ調整可能に締結される構造とされている。図示の実施形態の締付け固定手段５１は、ワンタッチ操作が可能な面ファスナ５１a、５１ｂから構成されているが、バックル等の他の締結構造も採用可能である。
【０１１２】
しかして、以上のように構成されたディスクグラインダ装置１においては、ディスクグラインダ２が円筒面研削用支持装置３から取外し可能であることから、ディスクグラインダ２を円筒面研削用支持装置３から取り外すことにより、ディスクグラインダ２単独での使用も可能であり、外周円筒面Ｃ以外の他の箇所の研削用として使用することも可能であり、また、専用のディスクグラインダ２の他、一般市販の汎用ディスクグラインダも上記円筒面研削用支持装置３に取付けて使用することも可能であり、汎用性に富む。
その他の構成および作用は実施形態１と同様である。
【０１１３】
なお、上述した実施形態１および２はあくまでも本発明の好適な実施態様を示すものであって、本発明はこれに限定されることなく、その範囲において種々の設計変更が可能である。
【０１１４】
例えば、実施形態１および２においては、位置決め係合部１１を構成する前後一対の当接支持部３０、３１は、後側の当接支持部３０が直線棒状の支持バーの形態とされるとともに、前側の当接支持部３１が左右一対の支持突起３１a、３１ｂの形態とされて、広い意味での３点支持状態による位置決め作用効果が発揮され得る構造とされているが、前側の当接支持部３１が後側の当接支持部３０と同様な直線棒状の支持バー１３１の形態（図３の二点鎖線参照）とされても良い。
【０１１５】
この場合は、上記両支持バー３０、１３１の軸線Ｘ30、Ｘ131が平行になるように設定される。これにより、ディスクグラインダ装置１を外周円筒面Ｃ上にガタツキがないように置くことで、支持装置３の位置決め係合部１１の後側の支持バー３０が外周円筒面Ｃの一つの母線上に線接触状態で当接係合するとともに、前側の支持バー１３１が外周円筒面Ｃの他の一つの母線上に線接触状態で当接係合して位置決めされ、これにより、支持装置３のグラインダ支持部２５に固定支持されたディスクグラインダ２は、上記外周円筒面Ｃ上に安定的に位置決め載置（位置決め支持）される。
【０１１６】
また、この構造では、前側の支持バー１３１がディスクグラインダ２のオフセット研削砥石７と干渉しないように、側部フレーム１５、１６が前方へ延長されるなどの改変がなされる。
【０１１７】
また、実施形態１および２は、オフセット印刷機の印刷部のシリンダを研削対象として説明したが、本発明のディスクグラインダ技術は、他の機械装置において同様な条件下にある構成部品（円柱体ないしは円筒体）の外周円筒面の補修作業にも適用可能である。
【０１１８】
さらに、実施形態１および２における位置決め係合部１１の構成から、つまり装置本体１０の底部前後位置に設けられた一対の当接支持部３０、３１が外周円筒面Ｃの異なる母線上にそれぞれ当接係合する構造とされていることから、ディスクグラインダ装置１は、実施形態１および２における円柱体ないしは円筒体の外周円筒面Ｃ上に安定して支持される他、平坦面上にも安定して支持されることはもちろんである。
【０１１９】
したがって、本発明に係るディスクグラインダ装置１は、本来的研削対象である外周円筒面Ｃの他、一般的な平坦面の研削作業にも適用可能であり、この場合も、作業者がディスクグラインダ２を両手で手持ち操作する従来の手作業に比較して、作業自体に熟練を要することなく、平坦面に対する研削作業を安定してかつ精度良く行うことができるという効果が有効に発揮される。
【０１２０】
また、ディスクグラインダ装置１の他の構成部の具体的構造も、実施形態１および２の構成部と同様な作用をなす限りにおいて、他の構造が採用可能である。
【符号の説明】
【０１２１】
１                          ディスクグラインダ装置
２                          ディスクグラインダ
３                          支持手段（円筒面研削用支持装置）
５                          グラインダ本体
７                          オフセット研削砥石
７ａ                        オフセット研削砥石の先端研削部
１０                        装置本体
１１                        位置決め係合部（位置決め係合手段）
１２                        傾斜角度調整部（傾斜角度調整手段）
１５、１６                  側部フレーム
１７、１８、１９            連結バー
１８                        支持バー
１９                        傾動支軸（支軸）
２５                        グラインダ支持部
２６                        支持部本体
２６ａ、２６ｂ              位置決め保持部
２７                        取付けブラケット
３０、３１                  当接支持部
３１ａ、３１ｂ              支持突起
３２                        研削作業空間
３５                        傾動規制板
３６                        調整ボルト
３６ａ                      調整ボルトの先端
３７                        弾発スプリング
３８                        調整ダイヤル
３８ａ                      外周歯車
３９                        規制バネ部材
４０                        補助調整部
４１                        支持カラー
４２                        クランプレバー機構
４３                        くさび部材
４４                        クランプボルト
４５                        クランプレバー
５０                        締付固定ベルト
５０ａ、５０ｂ              締付固定ベルトのベルト片
５１                        締付け固定手段
５１ａ、５１ｂ              面ファスナ
１００                      肉盛溶接
１０１                      メッキ
１３１                      支持バー
Ｃ                          研削対象となる外周円筒面
ＤＰ                        損傷箇所
Ｕ                          オフセット研削砥石の研削待機位置
Ｄ                          オフセット研削砥石の研削位置
Ｘ30                        支持バーの軸線
Ｘ31                        支持突起の当接係合面の中心を通る直線、支持バーの軸線
Ｘ131                        支持バーの軸線
【図１】
2015208827.tif 000003
【図２】
2015208827.tif 000004
【図３】
2015208827.tif 000005
【図４】
2015208827.tif 000006
【図５】
2015208827.tif 000007
【図６】
2015208827.tif 000008
【図７】
2015208827.tif 000009
【図８】
2015208827.tif 000010
【図９】
2015208827.tif 000011
【図１０】
2015208827.tif 000012
【図１１】
2015208827.tif 000013